(57)【要約】【課題】  マンションなどの集合住宅において、電話システムといった特に高齢者にとって身近なツールを用いて気軽に参加できるオープンなコミュニティ作りが可能なコミュニケーションシステムを提供すること。【解決手段】  会議開始の発起者は、自身の電話機１−１の会議参加用ボタンを押下すると、通話制御部２が電話機１−１を電話会議室４に自動的に接続する。さらに、電話機１−１から入室者を募ると、サーバーＳのデータ制御部５が個人データ記憶部６に記憶されているデータから、あらかじめ設定された会議のテーマに興味を示しそうな者を特定してリストアップする。処理部Ａの表示制御部３は、上記リストに基づいて、所定の電話機の会議参加用ボタンあるいは会議モニタ用ボタンを点灯させる。そして、入室希望者は、会議参加用ボタンを押下して会議に参加するとともに、モニタ希望者は、会議モニタ用ボタンを押下して会議の内容を傍聴できる。【選択図】  図１
2015033042.tif 000002
【特許請求の範囲】
【請求項１】
内線で接続されるとともに、会議に参加する会議参加用ボタンを備えた複数の電話機と、
上記電話機に対応付けられたディスプレイと、
これら電話機に接続された少なくとも一つの電話会議室と、
上記電話機、ディスプレイ及び電話会議室に接続された制御手段と
を備え、
上記制御手段は、
内線を介して上記電話機を上記電話会議室に接続したりその接続を切断したりする通話制御部と、
上記ディスプレイ等の表示手段を制御する表示制御部と、
個人と電話番号を対応付けたデータや個人の趣味等を記憶した個人データ記憶部と、
上記電話会議室の使用状況である入退室者を特定する情報や電話会議室における会議のジャンル等を記憶する会議状況記憶部と、
上記個人データ記憶部や会議状況記憶部にデータを記憶させたり、もしくはそれら個人データ記憶部あるいは会議状況記憶部に記憶されているデータを抽出したりするデータ制御部と
を備え、
上記通話制御部は、特定の電話機の会議参加用ボタンが押下されたとき、上記特定の電話機を会議室に接続する機能を実現し、
上記データ制御部は、上記特定の電話機の会議参加用ボタンが押されたことをトリガーにして、電話会議室のテーマを基に、個人データ記憶部から適切な個人を抽出する機能を実現し、
上記表示制御部は、上記抽出された個人に対応した電話機に参加を要請する信号を出力する機能を実現し、
さらに、上記通話制御部は、上記他の電話機の会議参加用ボタンが押下されたとき、当該他の電話機を電話会議室に接続する機能を実現する
コミュニケーションシステム。
【請求項２】
上記電話機には会議モニタ用ボタンを備え、
上記表示制御部は、上記抽出された個人に対応した電話機にモニタを要請する信号を出力する機能を実現し、
上記通話制御部は、上記会議モニタ用ボタンが押下されたとき、当該会議モニタ用ボタンが押下された電話機を、送話ミュートのモードに設定して電話会議室に接続する機能を実現する請求項１に記載されたコミュニケーションシステム。
【請求項３】
上記表示制御部は、電話会議室に入室している電話機に対応付けられたディスプレイに、会議参加用ボタンを押下した入室者を特定する情報を表示する機能を実現する請求項１又は２のいずれか１に記載されたコミュニケーションシステム。
【請求項４】
上記データ制御部は、電話会議室に入室している電話機の送受話器が置かれたとき、当該電話機が電話会議室から退室したと判定するとともに、電話会議室の入退室の状況を会議状況記憶部に記憶させる機能と、その入退室の状況を、上記表示制御部を介して電話会議室に入室している電話機に対応付けられたディスプレイに表示させる機能とを実現する請求項１〜３のいずれか１に記載されたコミュニケーションシステム。
【請求項５】
上記データ制御部は、会議に参加した人あるいは会議をモニタした履歴を取得し、それを個人情報記憶部に記憶させる機能を実現する請求項１〜４のいずれか１に記載されたコミュニケーションシステム。
【請求項６】
上記表示制御部は、会議参加用ボタン及び会議モニタ用ボタンを点灯させて、上記抽出された個人に対応した電話機に参加及びモニタを要請する機能を実現する請求項１〜５のいずれか１に記載されたコミュニケーションシステム。
【発明の詳細な説明】
【技術分野】
【０００１】
この発明は、例えば、集合住宅の居住者のコミュニケーションを促進するコミュニケーションシステムに関する。
【背景技術】
【０００２】
高齢者の増加にともない、高齢者のみを入居させるマンション等の集合住宅が注目されている。このような住宅においては、高齢者が快適な生活を送れるようにする物的な設備が整えられている。例えば、この種のシステムとして、特許文献１に示したものが従来から知られている。
この従来のシステムは、居住者の生活情報を安心センターに設けた機械的見守り手段に定期的に登録しておくとともに、その生活情報の登録が途切れたときに警報が出力されるようにしている。
また、イベントの開催などのいろいろな情報を、スピーカーを介して居住者に音声案内をしながら、居住者が所定の場所に集まりやすいようにして、コミュニティ作りに役立てるようにしている。
【先行技術文献】
【特許文献】
【０００３】
【特許文献１】特開２０１２−１７４２５４
【特許文献２】特開２００７−０６７５３５
【発明の概要】
【発明が解決しようとする課題】
【０００４】
上記のようにした従来のシステムでは、居住者に対しての通知が一方向であり、居住者同士が双方向で気軽に話ができるシステムにはなっていなかった。そのために、居住者同士のコミュニケーションを図ることができないという問題があった。
一方で、特許文献２で示したように、双方向で会話ができるようにした電話会議システムも従来から知られている。しかし、この電話会議システムは、会話の内容が、時間の経過に合わせて連続的にディスプレイに表示されることはない。そのために、途中入室者から見ると、何を話題にした会議であるかを知ることができない。
【０００５】
そのために、現実の場でよくある井戸端会議などのように、話の内容につられて途中参加するという気楽さがない。このような気楽さがないために、従来の電話会議システムでは、オープンなコミュニティを作ることができなかった。
この発明の目的は、マンションなどの集合住宅において、電話システムといった特に高齢者にとって身近なツールを用いて気軽に参加できるオープンなコミュニティ作りが可能なコミュニケーションシステムを提供することである。
【課題を解決するための手段】
【０００６】
第１の発明は、内線で接続されるとともに、会議に参加する会議参加用ボタンを備えた複数の電話機と、上記電話機に対応付けられたディスプレイと、これら電話機に接続された少なくとも一つの電話会議室と、上記電話機、ディスプレイ及び電話会議室に接続された制御手段とを備えている。
そして、上記制御手段は、上記電話機を上記電話会議室に接続したり切断したりする通話制御部と、上記ディスプレイ等の表示手段を制御する表示制御部と、個人と電話番号を対応付けたデータや個人の趣味等を記憶した個人データ記憶部と、上記電話会議室の使用状況である入退室者を特定する情報や電話会議室における会議のジャンル等を記憶する会議状況記憶部と、上記個人データ記憶部や会議状況記憶部にデータを記憶させたり、もしくはそれら個人データ記憶部あるいは会議状況記憶部に記憶されているデータを抽出したりするデータ制御部とを備えている。
【０００７】
さらに、上記通話制御部は、特定の電話機の会議参加用ボタンが押下されたとき、上記特定の電話機を会議室に接続する機能を実現し、上記データ制御部は、上記特定の電話機の会議参加用ボタンが押下されたことをトリガーにして、電話会議室のテーマを基に、個人データ記憶部から適切な個人を抽出する機能を実現し、上記表示制御部は、上記抽出された個人に対応した電話機に参加を要請する信号を出力する機能を実現し、さらに、上記通話制御部は、上記他の電話機の会議参加用ボタンが押下されたとき、当該他の電話機を電話会議室に接続する機能を実現する。
【０００８】
第２の発明は、上記電話機に会議モニタ用ボタンを備え、上記表示制御部は、上記抽出された個人に対応した電話機にモニタを要請する信号を出力する機能を実現し、上記通話制御部は、上記会議モニタ用ボタンが押下されたとき、当該会議モニタ用ボタンが押下された電話機を、送話ミュートのモードに設定して電話会議室に接続する機能を実現する。
【０００９】
第３の発明は、上記表示制御部が、電話会議室に参加している電話機に対応付けられたディスプレイに、会議参加用ボタンを押下した入室者を特定する情報を表示する機能を実現する。
【００１０】
第４の発明は、上記データ制御部が、電話会議室に参加している電話機の送受話器が置かれたとき、当該電話機が電話会議室から退室したと判定するとともに、電話会議室の入退室の状況を会議状況記憶部に記憶させる機能と、その入退室の状況を、上記表示制御部を介して電話会議室に参加している電話機に対応付けられたディスプレイに表示させる機能とを実現する。
【００１１】
第５の発明は、上記データ制御部が、会議に参加した人あるいは会議をモニタした履歴を取得し、それを個人データ記憶部に記憶させる機能を実現する。
【００１２】
第６の発明は、上記表示制御部が、会議参加用ボタン及び会議モニタ用ボタンを点灯させて、上記抽出された個人に対応した電話機に参加及びモニタを要請する機能を実現する。
【発明の効果】
【００１３】
第１の発明によれば、普段から扱い慣れた電話機に設定された会議参加用ボタンを押下するだけで、電話会議室に接続できるので、電子機器に慣れていない人でも、気軽に会議に参加できる。
また、特定の電話機が電話会議室に接続されると、それをトリガーにして、当該電話会議室に設定されたテーマに興味を示しそうな個人を抽出して参加要請がされるので、価値観を共有しやすい人を電話会議室に集合させることができる。したがって、会話も弾むとともに、コミュニティ作りにも貢献できる。
【００１４】
第２の発明によれば、会議モニタ用ボタンを利用して、電話会議室の現状をうかがい知ることができる。したがって、刻々と変化する現状の話題に応じて、途中参加をしたり参加を止めたりできる。また、参加まで希望しないが、傍聴したいという者も、間接的に会議に参加することができる。
いずれにしても、送話ミュートのモードに設定された会議モニタ用ボタンがあるので、初期に設定されたテーマから会議の内容が変化したとしても、現状の会議の状況をタイムリーに把握できる。
【００１５】
第３の発明によれば、電話機に対応付けられたディスプレイに、会議に参加している者の氏名など、入室者を特定する情報が表示されるので、入室者の各々は、誰と話をしているのかが常にわかることになる。したがって、電話会議室以外の場におけるコミュニケーションの機会を作るきっかけになる。
【００１６】
第４の発明によれば、電話会議室の入退室の状況が常にディスプレイに表示されるので、入室者はいつも誰と話をしているかがわかる。
第５の発明によれば、会議に参加した者の履歴を取得できるので、誰がどのような事柄に興味を持っているかを把握できる。したがって、テーマに応じた呼びかけも効率よくできるし、実際の場においても共通の興味を持っている者同士が集まりやすくなる。
第６の発明によれば、電話会議室を開設するときには、会議参加用ボタン及び会議モニタ用ボタンが点灯するので、利用者は電話会議室が開設されているかが一目で分かるとともに、それらボタンを押すことよって、簡単に参加あるいはモニタができる。
【図面の簡単な説明】
【００１７】
【図１】この発明のブロック図である。
【図２】電話機の平面図である。
【図３】発信者リストを示す図である。
【図４】現在の会議状況を示す会議状況テーブル図である。
【図５】ディスプレイに表示する入室者の表示例である。
【図６】会議を開始するときの会議開始シーケンス図である。
【図７】会議をモニタするときの会議モニタシーケンス図である。
【図８】会議継続中に参加するときの会議参加シーケンス図である。
【図９】電話会議室を退室するときの会議退室シーケンス図である。
【図１０】電話会議室の会議状況を表示する会議状況表示シーケンス図である。
【発明を実施するための形態】
【００１８】
この発明の実施形態は、図１に示すように、複数の電話機１が処理部Ａを介して内線で接続されているが、これら電話機１には、図２に示すように、送受話器１ａとディスプレイ１ｂとが設けられるとともに、図１に示した各電話会議室４に対応付けられた会議参加用ボタン１ｃ、会議モニタ用ボタン１ｄ及び会議状況表示用ボタン１ｅとが備えられている。そして、会議参加用ボタン１ｃ及び会議モニタ用ボタン１ｄには、ＬＥＤなどの発光体を内蔵し、必要に応じてそれらを発光させることができる。
なお、図中符号１ｆは電話機１に設けた十字キー、１ｇは決定ボタン、１ｈはテンキーである。
【００１９】
上記十字キー１ｆは、図３に示す発信先リストから特定の発信先を特定する際に使用するもので、例えば、十字キー１ｆの上下を押すことによって個人またはジャンル別登録者を特定するとともに、十字キー１ｆの左右を押すことによって一時的に個人を選択する。そして、決定ボタン１ｇを押すことによって、上記一時的に特定した個人群を送信先として決定するようにしている。
【００２０】
一方、上記処理部Ａには、通話制御部２及び表示制御部３を備えている。
上記通話制御部２は、各電話機１の内線を接続したりその接続を切断したりする機能を備えるとともに、電話会議室４に入室した入室者の音声をミキシングした後、発話している本人の声が、その本人の送受話器１ａに届かないようにする機能を備えている。また、上記表示制御部３は、電話機１に備えられたディスプレイ１ｂに表示するデータを制御するものである。
なお、上記電話会議室４−１，４−２・・・４−ｎのそれぞれには、図４の表示情報テーブルにあるように、その設定ジャンルがあらかじめ決められている。
【００２１】
上記のようにした処理部Ａは、その通話制御部２を電話会議室４に接続し、上記電話機１の会議参加用ボタン１ｃあるいは会議モニタ用ボタン１ｄが押下されたとき、通話制御部２を介して、当該電話機１と、それら会議参加用ボタン１ｃあるいは会議モニタ用ボタン１ｄが対応付けられた電話会議室４とを自動的に接続する。ただし、上記会議モニタ用ボタン１ｄが押下されたときには、上記通話制御部２が当該電話機１と電話会議室４とを送話ミュートのモードに設定して接続する。
【００２２】
また、この通話制御部２の接続状況によって、どの電話機１が電話会議室４に参加しているのか、あるいはどの電話機１が電話会議室４から退室したのかといった入退室の状況を把握できるようにしている。
上記のようにした処理部Ａは、電話機１をいずれの電話会議室４にも接続可能にするとともに、この処理部Ａは、後で説明するサーバーＳに接続している。
なお、上記処理部ＡとサーバーＳとが相まって、この発明の制御手段を構成する。
【００２３】
一方、上記処理部Ａに接続したサーバーＳは、データ制御部５、個人データ記憶部６及び会議状況記憶部７を備えている。
上記データ制御部５は、特定の電話機１の会議参加用ボタン１ｃが押下されたことをトリガーにして、電話会議室４に設定されたテーマを基に、個人データ記憶部６から適切な個人を抽出する。この個人データ記憶部６には、電話機固有番号と個人を特定する名前などの情報とが対応付けられて記憶されるとともに、それら個人の趣味や電話会議室４に参加した過去の履歴などを基にして、当該個人の興味分野をジャンル別に記憶している。また、データ制御部５は、新たに入手した入室者の行動履歴などを、上記個人データ記憶部６に記憶させる機能を備えている。
【００２４】
さらに、データ制御部５は、通話制御部２の接続状況から、電話会議室４に現在参加している人あるいは参加していたが途中から退室した人を把握して、その入退室の状況を会議状況記憶部７に、図４に示した会議状況テーブルとして記憶させる。なお、データ制御部５は、通話制御部２を介して電話会議室４に接続されている電話機１は当該電話会議室４に現在参加中と判定し、電話会議室４に接続されていた電話機１であって、その送受話器１ａが置かれた電話機１は当該電話会議室４から退室したものと判定する。
【００２５】
このようにして、データ制御部５は電話会議室４における入退室の状況を把握し、それを図４に示した会議情報テーブルとして会議状況記憶部７に記憶させるとともに、その会議状況記憶部７に記憶されているデータを、処理部Ａの表示制御部３を介して電話機１に設けたディスプレイ１ｂに表示する。
【００２６】
なお、図中符号８は、サーバーＳに接続した入出力部で、この入出力部８を介して個人データ記憶部６に個人情報をあらかじめ入力できるようにしている。したがって、個人データ記憶部６には、データ制御部５が過去の履歴を把握してそれを記憶させる場合と、上記入出力部８から直接入力されるものとがある。
また、個人データ記憶部６に記憶されている個人データあるいは会議状況記憶部７に記憶されている会議状況の履歴等を入出力部８から出力させることもできる。
【００２７】
次に、上記システムに基づいてコミュニケーションを図る手順を図６〜１０に示したシーケンス図に基づいて説明する。
コミュニケーションを図るときには、先ず、電話会議室４を開設しなければならないが、この実施形態では、図４に示すように、電話会議室４−１，４−２，４−ｎごとにその設定ジャンルがあらかじめ決められている。
【００２８】
したがって、図２に示すように、会議の発起者は、設定すべきジャンルに応じて、電話会議室４を選択するが、例えばスポーツを会議のテーマにするときには、電話会議室４−１に対応付けられた会議参加用ボタン１ｃを押下する。電話会議室４−１に対応付けられた会議参加用ボタン１ｃが押下されると、処理部Ａにおける通話制御部２が電話機１−１を電話会議室４−１に自動的に接続する。これと同時に、処理部Ａは、サーバーＳのデータ制御部５に対して、電話機１−１を電話会議室４−１の入室者として登録するように要求する。この要求を受けたデータ制御部５は、会議状況記憶部７に電話機１−１を入室者として記憶させる。
【００２９】
さらに、処理部Ａは、電話機１−１に対して発信先を決めるように要求する。このとき表示制御部３は図３に示す発信先リストをディスプレイ１ｂに表示する。この要求は、例えば電話機１−１に設定されているテンキー１ｈを用いて実行することができる。この要求を受けた処理部Ａは、サーバーＳのデータ制御部５に対して参加を募る発信先の抽出を要求する。
データ制御部５は、スポーツジャンルに登録されている図３に示す発信先リストを抽出して、それを表示制御部３に送信するとともに、表示制御部３は、上記発信先リストをディスプレイ１ｂに表示する。
【００３０】
ディスプレイ１ｂに発信先リストが表示されたら、発起者は、その発信者リストの中から特定の人またはジャンル別登録者全員を選択するが、その選択は十字キー１ｆと決定ボタン１ｇを用いて実行される。すなわち、十字キー１ｆの上下を押すことによって個人を特定するとともに、十字キー１ｆの左右を押すことによって一時的に個人を選択する。そして、決定ボタン１ｇを押すことによって、上記一時的に特定した個人群を発信先として決定する。
【００３１】
上記のように決定ボタン１ｇが押下されると、通話制御部２は、選択された発信先リストに基づいて、その発信先リストに対応付けられた電話機１の会議参加用ボタン１ｃ及び会議モニタ用ボタン１ｄを点灯させる。
このとき、発信先としてジャンル別登録者全員を選択した場合、処理部ＡはサーバーＳのデータ制御部５に対して該当ジャンルの登録者の抽出を要求し、データ制御部５は、該当ジャンルの登録者を抽出して、処理部Ａに送信する。通話制御部２は、その該当ジャンルの登録者に対応付けられた電話機１の会議参加用ボタン１ｃ及び会議モニタ用ボタン１ｄを点灯させる。
そして、会議に参加することを希望する者は、会議参加用ボタン１ｃを押下しなければならないが、処理部Ａは、一定時間、会議参加用ボタン１ｃの押下がないとき、上記会議参加用ボタン１ｃ及び会議モニタ用ボタン１ｄの点灯を停止し、電話機１−１と電話会議室４−１との接続を切断する。
上記一定時間内に例えば電話機１−２の会議参加用ボタン１ｃが押下されれば、処理部Ａの通話制御部２は、当該電話機１−２を電話会議室４−１に自動的に接続する。
【００３２】
上記のプロセスを経て、電話機１−１と電話機１−２とによる会議が開始されるが、処理部Ａは、データ制御部５に対して、現在、電話機１−１と電話機１−２とが当該電話会議室４−１に参加していることを会議状況記憶部７に記憶させることを要求する。データ制御部５はこの要求に応じて会議状況記憶部７に、図４に示すように電話会議室４の参加状況を記憶させる。
なお、上記会議状況テーブルには、図４に示すように入室者の電話会議室４−１が会議を開始してからの経過時間も表示されるとともに、それが会議状況記憶部７に記憶される。
【００３３】
上記のようにデータ制御部５が会議状況記憶部７にその状況を記憶させたら、さらに、電話会議室４に現在入室している入室者を特定する氏名等の情報及びそれに対応付けられた電話機固有番号を処理部Ａに送信する。
処理部Ａの表示制御部３は、上記会議状況を電話機１−１及び電話機１−２のディスプレイ１ｂに、図５に示すように入室者の氏名等の情報を表示する。これによって電話会議室４−１に入室している者は、現在誰が入室しているかを把握することができる。
これと同時に上記通話制御部２は、入室を募ったけれどまだ入室していない者の電話機１の会議参加用ボタン１ｃ及び会議モニタ用ボタン１ｄを点灯させる。
【００３４】
上記のように会議が継続中にも会議参加用ボタン１ｃ及び会議モニタ用ボタン１ｄを点灯し続けるが、会議モニタ用ボタン１ｄが押下されたときには、図７に示すように処理される。
例えば、電話機１−３の会議モニタ用ボタン１ｄが押下されたとすると、処理部Ａの通話制御部２は、電話機１−３と電話会議室４−１とを、自動的に送話ミュートのモードに設定して接続する。
【００３５】
このときには、電話機１−３からの発信音は電話会議室４−１に伝えられないし、電話機１−３が電話会議室４−１に接続されていることも、電話会議室４−１に入室している者に伝えられない。つまり、会議モニタ用ボタン１ｄが押下されたときには、電話会議室４の状況を密かにチェックし、興味が湧けばその時点で会議参加用ボタン１ｃを押下することになる。これによっていわゆる試し聞きができるとともに、現在進行中の会議のテーマを知ることができる。
【００３６】
また、上記のように会議モニタ用ボタン１ｄを設け、現在進行中のテーマを試し聞きができるので、途中入室希望者は、現状のテーマに応じて入室するかどうかを決めることができる。
例えば、会議の開始時点に設定されていたテーマも、会議が進むにしたがって、最初のテーマから離れてしまうことが容易に想像できる。このようなときにも、途中入室希望者は、現状の会議の状況を傍聴しながら、入室するかどうかの意思決定ができる。
【００３７】
そして、会議モニタ用ボタン１ｄを押下して電話会議室４−１の様子をうかがっていた者が、会議の途中から入室するときには、図８に示すように処理される。
例えば、電話機１−３が途中から入室することにした場合には、電話機１−３の会議参加用ボタン１ｃが押下されることになる。このように電話機１−３の会議参加用ボタン１ｃが押下されると、処理部Ａの通話制御部２が、電話機１−３を電話会議室４−１に接続する。
【００３８】
ただし、電話機１−３が上記のようにモニタ中の場合には、電話機１−３は送話ミュートのモードですでに電話会議室４−１に接続されているので、通話制御部２は、送話ミュートのモードから双方向通話のモードに切り替えることになる。
いずれにしても、電話機１−３が電話会議室４−１に接続されれば、その後は、電話機１−１，１−２，１−３によって、会議が進められることになる。
【００３９】
上記のように電話会議室４に電話機１−３が接続されたら、処理部Ａは、データ制御部５に対して、現在、電話機１−１，１−２，１−３とが電話会議室４−１に入室していることを会議状況記憶部７に記憶させることを要求する。データ制御部５はこの要求に応じて会議状況記憶部７に、電話会議室４−１の入室状況を記憶させるとともに、電話会議室４−１に現在入室している入室者を特定する情報及びそれに対応付けられた電話機固有番号とともに処理部Ａに送信する。
そして、処理部Ａの表示制御部３は、上記会議状況を電話機１−１，１−２，１−３のディスプレイ１ｂに、入室者を特定できる情報を表示する。
【００４０】
上記のプロセスを経て会議に参加するが、継続中の会議の途中で退室する場合には、図９に示すように処理される。
例えば、電話機１−３が会議途中で退室するときには、電話機１−３の送受話器１ａを電話機１−３に置けばよい。送受話器１ａが置かれれば、処理部Ａの通話制御部２は、電話機１−３と電話会議室４−１との接続を切断する。ただし、この状態では、電話機１−１，１−２と電話会議室４−１とは接続が継続したままである。
【００４１】
上記のように電話会議室４−１と電話機１−３とが切断されたら、処理部Ａは、データ制御部５に対して、電話機１−３が退室した電話会議室４−１の入室状況を会議状況記憶部７に記憶させることを要求する。データ制御部５はこの要求に応じて会議状況記憶部７に、電話会議室４−１の入室状況を記憶させるとともに、電話会議室４−１に現在入室している入室者を特定する情報及びそれに対応付けられた電話機固有番号とともに処理部Ａに送信する。
そして、処理部Ａの表示制御部３は、上記会議状況を電話機１−１，１−２のディスプレイ１ｂに、入室者を特定できる氏名等の情報を表示する。
【００４２】
上記のようにこの実施形態のコミュニケーションシステムによれば、電話機という誰もが使い慣れた道具を用いるとともに、会議参加用ボタン１ｃを押下するという簡単な操作で会議に参加できる。さらに、一度参加した会議であっても、送受話器１ａを置くだけで退室できる。したがって、電子機器の扱いに慣れていない高齢者であっても、電話会議に簡単に入室したり退室したりできる。
【００４３】
また、会議モニタ用ボタン１ｄを利用して、刻々と変化する会議の状況を知ることができるので、たとえ最初に設定されたテーマに興味がなくても、会議の進行状況の中で発生したテーマに興味を抱けば、その時点で当該会議に参加できる。つまり、会議を開始する時点でテーマが決められるが、テーマが固定化されたまま会議が進行することは、通常、あまりないと考えられるので、この実施形態のコミュニケーションシステムによれば、流動的なテーマの変化にも対応することができる。
【００４４】
なお、上記実施形態では、入室者が常に現状の入室者を確認できるようにしている。つまり、図１０に示すように、電話機１には会議状況表示用ボタン１ｅを設け、この会議状況表示用ボタン１ｅが押下されると、処理部Ａは、サーバーＳのデータ制御部５に対して、会議状況の抽出を要求する。この要求があったとき、データ制御部５は、電話会議室４に現在入室している入室者を特定する氏名等の情報及びそれに対応付けられた電話機固有番号とともに処理部Ａに送信する。
【００４５】
処理部Ａの表示制御部３は、このデータ制御部５から送信されたデータに基づいて、入室者を特定する氏名等の情報をディスプレイ１ｂに表示する。
したがって、入室者は、自分が誰と会議をしているのかを、いつでも簡単に確認することができる。
【００４６】
なお、上記実施形態において、入室者あるいはモニタを募るのに、会議参加用ボタン１ｃあるいは会議モニタ用ボタン１ｄを点灯させるようにしたが、それは鳴音させるなど、入室者あるいはモニタに伝わればどのような手段を用いてもよい。
また、上記実施形態では、電話会議室４ごとにあらかじめジャンルを設定したが、会議開始時に任意にそのジャンルを決めるようにしてもよい。
【産業上の利用可能性】
【００４７】
老人向けのマンション等の集合住宅におけるコミュニケーションを維持するのに最適である。
【符号の説明】
【００４８】
Ａ      制御手段を構成する処理部
Ｓ      制御手段を構成するサーバー
１      電話機
２      通話制御部
３      表示制御部
４      電話会議室
５      データ制御部
６      個人データ記憶部
７      会議状況記憶部
【図１】
2015033042.tif 000003
【図２】
2015033042.tif 000004
【図３】
2015033042.tif 000005
【図４】
2015033042.tif 000006
【図５】
2015033042.tif 000007
【図６】
2015033042.tif 000008
【図７】
2015033042.tif 000009
【図８】
2015033042.tif 000010
【図９】
2015033042.tif 000011
【図１０】
2015033042.tif 000012